(57)【特許請求の範囲】
【請求項１】
移植可能な体内人工装着物展開システムであって、
可撓性の細長い管状の送給カテーテルを有し、該カテーテルが、前記カテーテルを通って延びる少なくとも１つの内側ルーメンと、前記内側ルーメンと連通している、前記カテーテルに形成された開口とを備え、
前記カテーテル上に位置決めされた細長い移植可能な半径方向に伸張可能な体内人工装着物を有し、該体内人工装着物が、近位端部と、該近位端部と反対側の遠位端部とを備え、
前記体内人工装着物を圧縮状態に維持するための取外し可能な体内人工装着物支持装置を有し、該体内人工装着物支持装置が、前記カテーテルの開口に隣接して配置され、前記カテーテルの開口を通って前記内側ルーメン内に延びるアームを備え、
前記カテーテルの前記内側ルーメンに挿入可能な解放機構を有し、該解放機構が前記支持装置の前記アームと係合可能な遠位先端を備え、前記解放機構は、前記支持装置を前記体内人工装着物からはずして、前記体内人工装着物の半径方向の伸張を可能にするように、前記内側ルーメン内で操作される、
体内人工装着物展開システム。
【請求項２】
前記体内人工装着物が血管グラフトを含む、請求の範囲第１項記載の展開システム。
【請求項３】
前記体内人工装着物がステントを含む、請求の範囲第１項記載の展開システム。
【請求項４】
前記支持装置がブートを含む、請求の範囲第１項記載の展開システム。
【請求項５】
前記支持装置が、前記体内人工装着物の前記遠位端部を圧縮状態に維持する遠位支持部材を備える、請求の範囲第１項記載の展開システム。
【請求項６】
前記体内人工装着物の前記近位端部を圧縮状態に解放自在に維持するための近位支持部材を有し、該近位支持部材が前記カテーテルに固定される、請求の範囲第５項記載の展開システム。
【請求項７】
前記体内人工装着物の前記近位端部と前記遠位端部とは別個の部材である、請求の範囲第６項記載の展開システム。
【請求項８】
前記解放機構が解放ロッドを有する、請求の範囲第１項記載の展開システム。
【請求項９】
前記解放機構が前記遠位先端にクリップを有し、該クリップは前記アームに取り付け可能である、請求の範囲第１項記載の展開システム。
【請求項１０】
前記カテーテルが、近位部と、遠位部とを備える、請求の範囲第１項記載の展開システム。
【請求項１１】
前記カテーテルの前記近位部と前記遠位部とは、連結部によって連結された別個の部分である、請求の範囲第１０項記載の展開システム。
【請求項１２】
前記カテーテルの前記開口が前記連結部を通る、請求の範囲第１１項記載の展開システム。
【請求項１３】
前記内側ルーメンに挿入可能な案内ワイヤを有する、請求の範囲第１項記載の展開システム。
【請求項１４】
前記カテーテルが、第１内側ルーメンと、第２内側ルーメンとを有する、請求の範囲第１項記載の展開システム。
【請求項１５】
前記開口が前記第１内側ルーメンまで延び、前記解放機構が前記第１内側ルーメンに挿入可能であり、前記案内ワイヤが前記第２ルーメンに挿入可能である、請求の範囲第１４項記載の展開システム。
【請求項１６】
前記カテーテル上に配置される引っ込め可能な外側シースを有し、該シースが前記体内人工装着物を圧縮状態に維持する、請求の範囲第１項記載の展開システム。
【請求項１７】
ステント人工装着物展開システムであって、
可撓性の細長い管状の送給カテーテルを有し、該カテーテルが、近位部と、遠位部と、少なくとも１つの内側ルーメンと、該内側ルーメンと連通している、前記カテーテルに形成された開口とを備え
前記カテーテル上に位置決めされた移植可能な人工装着物と、
該人工装着物を支持する半径方向に伸張可能なステントとを有し、該ステントが、近位端部と、該近位端部と反対側の遠位端部とを備え、
前記ステントを圧縮状態に維持するための取外し可能な体内人工装着物支持装置を有し、該体内人工装着物支持装置が、前記カテーテルの開口に隣接して配置され、前記カテーテルの開口を通って前記内側ルーメン内に延びるアームを備え、
前記カテーテルの前記内側ルーメンに挿入可能な解放機構を有し、該解放機構が前記支持装置の前記アームと係合可能な遠位先端を備え、前記解放機構は、前記支持装置を前記ステントからはずして、前記ステントの半径方向の伸張を可能にするように、前記内側ルーメン内で操作される、
体内人工装着物展開システム。
【発明の詳細な説明】
発明の分野
本発明は、広くは移植可能な体内人工装着物のための展開システムに関する。より詳しくは、本発明は、ステントによって支持される移植可能な管状人工装着物のへ経皮挿入のための展開システムに関する。
発明の背景
人の体内の損傷を受けたまたは疾病に罹った血管または他の管腔路を置換または補強するための合成管状人工装着物の移植は、公知である。合成管状人工装着物には、体内人工装着装置ならびにグラフトが含まれる。
グラフトなどの管状人工装着物は、一般には外科的手法によって移植される。通常、外科医は、開放式の外科的手法で血管または他の身体管路内の所定の位置にグラフトを縫合する。管状人工装着物の移植では、管腔内移植も広く行なわれている。この方法は、通常、繰り出しカテーテルによって体内人工装着物を経皮的に挿入することによって行なわれる。この方法では、大きな外科手術を行なうことなくまたしたがってそのような手術に内在する危険なしに繰り出しおよび実装を行なうことができる。このため、繰り出しカテーテルを介した各種人工装着装置の管腔内移植が普及しつつある。
従来は外科的に移植される場合の多かったグラフトおよび他の人工装着物に関して、管腔内移植を効果的に行なうためにそのような人工装着物を身体管路内部の所定の位置に固定しようとする場合には、縫合以外の手段を用いる必要がある。移植後身体管路内部で該装置を所定の位置に支持し固定するためには、ステントをグラフトおよび他の各種人工装着物と組み合わせて使用することも知られている。ステントは、通常径方向に伸張および／または圧縮自在の支持部材で、グラフトまたは他の管状人工装着物内に配置される。通常の使用法では、人工装着物を正しく配置した後、ステントを伸張させることによって該人工装着物を身体管路内部に固定する。
移植にあたって人工装着物を身体管路内部で支持するためにはステントを伸張させることが必要なため、ステントを移植の場所まで輸送するために用いられる繰り出しカテーテルは、ステントの展開が必要になるまで繰り出しおよび移植の期間中核ステントを圧縮された状態に維持することができるものでなければならない。圧縮されたステントの繰り出しシステムを改良するために、多くの試みがなされており、そのようなシステムに関する発明も開示されている。
アメリカ合衆国特許第４９５０２２７号は、ステントがバルーン型カテーテルの周りに配置され、該ステントの端部を固定するスリーブによって所定の位置の保持されるステント用カテーテル繰り出しシステムを開示している。バルーンを膨らませると、ステントが伸張し、そのためスリーブが滑ってステントからはずれ、ステントが解放される。
アメリカ合衆国特許第５１０８４１６号は、ステントがバルーン型カテーテルの周りに配置され、端部キャップによって所定の位置に保持されるステント用カテーテル繰り出しシステムを開示している。バルーンを膨らませると、端部キャップがステントから離れていき、ステントが解放される。
アメリカ合衆国特許第５１５８５４８号および第５２４２３９９号は、ステントがバルーン型カテーテルの周りに配置され、外側外装によって所定の位置に保持されるステント用カテーテル繰り出しシステムを開示している。該外側外装に取り付けられた案内ワイヤが前方へ動かされると、それによって該外装が前方へ動かされ、ステントが露出し解放される。
したがって、ステントによって支持される移植可能な管状人工装着物をカテーテルによって繰り出し展開するための有効なシステムに対するニーズが存在する。
発明の概要
本発明の一つの目的は、経皮的に繰り出しされる移植可能な体内人工装着物用展開システムを提供することである。
本発明の他の一つの目的は、径方向に伸張自在な体内人工装着物の移植を行なうための改良された展開システムを提供することである。
本発明のさらに他の一つの目的は、移植可能な体内人工装着物の体内人工装着展開のための方法を提供することである。
本発明にもとづけば、これらの目的および他の目的を達成するために、可撓性で、細長く、管状で、少なくとも一つの内側ルーメンを備えた繰り出しカテーテルを含み、該カテーテルから該内側ルーメンまで開口が伸びる展開システムが提供される。カテーテルの上には、径方向に伸張自在で近端域および遠端域を有する移植可能な体内人工装着物が配置される。該体内人工装着物を圧縮された状態に維持する支持装置は、カテーテルの開口に隣接した位置に配置される。該支持装置は、カテーテルの開口を通って内側ルーメン内まで伸びるアームを含む。解除機構は、内側ルーメンを通るように挿入することができ、支持装置のアームと係合自在な遠尖端部を含む。解除機構は、支持装置を体内人工装着物から取りはずして該体内人工装着物が移植のために径方向に伸張できるように内側ルーメン内で操作することができる。
好ましくは、体内人工装着物は、支持用の伸張自在なステント、より詳しくは、遠端域に一つ近端域に一つの一対のステントを有するグラフトである。好ましくは、支持装置は、ブート（管状覆い）である。解除機構は、解除ロッドを含むものとすることができ、さらに、アームに取り付け可能な遠尖端部のクリップを含むものとすることができる。
支持装置は、体内人工装着物の遠端域を圧縮された状態に維持するための遠端支持部材を含むものとすることができる。さらに、体内人工装着物の近端域を圧縮された状態に維持するためにカテーテルに固定された近端支持部材を含むものとすることもできる。体内人工装着物の遠端域および近端域は、個別の部材とすることもできる。この実施形態にあっては、遠端支持部材が体内人工装着物の遠端部材を維持し、近端支持部材が体内人工装着物の近端部材を維持する。
展開システムは、さらに、カテーテルの内側ルーメンを通って挿入可能な案内ワイヤを含むものとすることができる。カテーテルは、さらに、近位部分および遠位部分を含むものとすることができる。カテーテルの近位部分および遠位部分は、コネクタ部分によって接続された個別の部分で、カテーテルを通る開口は該コネクタ部分に配置されるものとすることができる。
カテーテルは、第一および第二の内側ルーメンを有し、該開口は、第一の内側ルーメンまで伸び、解除機構は、第一のルーメンを通って挿入可能で、案内ワイヤは、第二のルーメンを通って挿入可能とすることができる。
本発明の方法の側面にもとづけば、展開システムにおいて、可撓性で、細長く、管状で、近位部分、遠位部分、少なくとも一つの内側ルーメンを有する繰り出しカテーテルであって、該カテーテルを通って該内側ルーメンまで伸びる開口を有するカテーテル、カテーテルの上に配置されて近端域および遠端域を有する径方向に伸張自在で移植可能な体内人工装着物、カテーテルの開口に隣接した位置に配置されてカテーテル開口を通って内側ルーメン内まで伸びるアームを有し、該体内人工装着物を圧縮された状態で取りはずし自在に維持する引き込め自在の支持装置、および、内側ルーメンを通るように挿入することができて該アームと係合自在な遠尖端部を含み、内側ルーメン内で支持装置を操作することができる解除機構を含む展開システムの方法が提供される。展開システムは、管腔内に挿入されて移植区域に配置される。次に、解除機構が支持装置のアームと係合し、内側ルーメン内で解除機構が操作される。この操作によって、体内人工装着物から支持装置が取りはずされ、体内人工装着物が径方向に伸張できるようになる。次に、展開素子が移植区域から取りはずされる。
【図面の簡単な説明】
第１図は、本発明の体内人工装着部展開システムの好ましい一実施形態の斜視図である。
第２図は、本発明にもとづいて用いられる繰り出しカテーテル装置の側面図である。
第３図は、第２図のカテーテル装置のＡ−Ａ線に添った拡大断面図である。
第４図は、第２図のカテーテルの一構成部分のＣ−Ｃ線に添った拡大断面図である。
第５図は、第２図のカテーテル装置のＢ−Ｂ線に添った拡大断面図である。
第６図は、第２図のカテーテル装置の他の実施形態のＡ−Ａ線に沿った拡大断面図である。
第７図は、第６図の他の実施形態のＣ−Ｃ線に添った拡大断面図である。
第８図は、本発明にもとづいて用いられる外側外装の側面図である。
第９図は、本発明にもとづいて用いられる解除機構の側面図である。
第１０図は、本発明の駆動システムで用いられる種類のグラフトおよびステントを含む体内人工装着物の斜視図である。
第１１図は、本発明の一実施形態にもとづいて用いられる近位支持部材の斜視図である。  第１２図は、本発明にもとづいて用いられる遠位支持部材の斜視図である。
発明の詳細な説明
第１図は、本発明にもとづく移植可能な体内人工装着物の経皮挿入用展開システム１０を示す。展開システム１０は、可撓性で細長い駆動カテーテル装置２０を含む。カテーテル装置２０は、当業者には公知の通常の可撓性と生体との共存性をもつ任意の材料でつくることができる。
好ましい実施形態にあっては、カテーテル装置２０は、第２図に示すように近位部分２０ａおよび遠位部分２０ｂを含む。本発明に関しては、「遠位」という用語は、大まかに体内に最初に挿入される繰り出しシステム１０の部位を示し、「近位」という用語は、大まかに遠位部分に対向する繰り出しシステム１０の部位を示す。近位部分２０ａと遠位部分２０ｂは、通常、中断部２１で分離された個別の部分である。近位部分２０ａと遠位部分２０ｂを連結するために、第１図および第２図にコネクタ４０で示すコネクタ部分が用いられる。コネクタ４０は、通常、中断部２１で前記近位部分２０ａおよび遠位部分２０ｂ内に挿入して該二つの部分を連結するためのテーパの付いた端部を有する細長い部材である。コネクタ４０は、当業者には公知の生体との共存性をもつ材料でつくることができる。連結されると、近位部分２０ａ、コネクタ４０、および遠位部分２０ｂは、単一のカテーテル装置２０を効果的に形成する。
近位部分２０ａは、第３図に示すようにその中を通って伸びる第一の内側ルーメン２６ａおよび第二の内側ルーメン２８を含む。遠位部分２０ｂは、第５図に示すようにその中を通って伸びる第一の内側ルーメン２６ｂを含む。コネクタ４０は、近位部分２０ａの第一の内側ルーメン２６ａと連通しまたさらに遠位部分２０ｂの第一の内側ルーメン２６ｂとも連通する第一の内側ルーメン２６ｃを含む。コネクタ４０は、また、近位部分２０ａの第二の内側ルーメン２８ａと連通する第二の内側ルーメン２８ｃを含む。近位部分２０ａ、コネクタ４０、および遠位部分２０ｂが互いに連結されると、連通する第一の内側ルーメン２６ａ、２６ｃ、および２６ｂが、カテーテル装置２０９を通って伸びる単一の第一の内側ルーメン２６を効果的に形成し、連通する第二に内側ルーメン２８ａおよび２８ｃは、カテーテル装置２０を通って伸びる単一の第二の内側ルーメン２８を形成する。第一の内側ルーメン２６は、案内ワイヤ（図示せず）を中を通して収容することができる。当業者には公知のように、案内ワイヤは、血管系を通して繰り出しカテーテルを配置し案内するためにカテーテル繰り出しシステムで広く用いられているものである。
第４図に示すように、コネクタ４０の壁を通って第二の内側ルーメン２８ｃまで伸びる開口２４が存在する。本発明のこの好ましい実施形態は、コネクタ４０を含むが、コネクタ４０のない単一の部材としてのカテーテル装置２０も本発明に含まれるものであり、そのような実施形態では、開口２４は、単一の部材であるカテーテルの壁を通って内側ルーメン２８まで伸びている。
第１図に見られるように、径方向に伸張自在な移植可能な体内人工装着物３０がカテーテルの上に配置される。体内人工装着物３０は、近端域３５および遠端域３３を含む。さらにダウ１０図に示すように、体内人工装着物３０は、当業者には公知の移植可能な任意の種類の人工装着装置とすることができる。本発明は、真直性、テーパ付き、段付き、分岐式、または移植作業で有用な他の種類の現存する体内人工装着物を対象として含むものである。
好ましい適用例にあっては、体内人工装着物３０は、ポリエステルなどの合成繊維を組み、編み、あるいは織ってつくった血管グラフト３２、あるいは膨張させたポリテトラフルオロエチレン（ＰＴＦＥ）などの押し出し成形プラスチックでつくった血管グラフト３２を含む。グラフト３２は、疾病に罹ったまたは損傷を受けた血管その他の管路内に経皮移植して、該損傷を受けた管路を置換しまたは補強するように考案されたものである。そのため、グラフト３２は、管腔内での繰り出しを容易にするために折り畳まれあるいは圧縮される。このような圧縮あるいは折り畳みは、当業者には公知であり、本発明は、径方向の伸張が可能な任意の圧縮されたまたは折り畳まれた形状の現存するグラフトもその対象とするものである。
グラフト３２は、当業者には公知の自己支持型グラフトであってもあるいは他の手段によって支持されるものであってもよい。例えば、グラフト３２は、やはり第１０図に示す伸張自在なステント３４によって支持されるものであってもよい。ステント３４は、ステンレススチールまたは他の金属または合金、ポリマー材料、あるいはポリマーと金属の複合材料など、当業者には公知の任意の材料でつくられた任意の通常のステントとすることができる。ステント３４は、圧縮された直径と膨らまされた大きい直径の間で径方向に自己伸張自在である。ステント３４は、さらに、体内人工装着物の配置および固定を補助するためにステントの用途で通常用いられる種類のそこから伸びるステントバーブ（図示せず）を含むものとすることができる。
好ましい形態にあっては、体内人工装着物３０の近端域３５および遠端域３３は、分離した個別のステント部材を支持する。この実施形態は、体内人工装着物３０がグラフトとステントの組み合わせを含む場合にとくに有用である。そのような実施形態にあっては、ステント３４は、第１０図に示すように近位ステント部材３４ｂおよび遠位ステント部材３４ａの二つの互いに隔てられた部材を含むものとすることができる。そのような実施形態にあっては、遠位ステント部材３４ａがグラフト３２の遠端域３３を支持して移植区域に固定し、近端ステント部材３４ｂが繰り出し３２の近端域３５を支持して移植区域に固定する。
移植前および移植中体内人工装着物３０を圧縮された状態に捕捉し保持するために、本発明は、体内人工装着物３０を圧縮された状態で取りはずし自在に維持するための取りはずし自在な体内人工装着物支持装置を使用する。該支持部材は、体内人工装着物３０を圧縮された状態に維持するステントブートを含むものとすることができる。
好ましい実施形態にあっては、支持装置は、二つの個別の部材として存在する。第１図、第１１図、および第１２図を参照して、支持部材は、遠位支持部材４４および縦方向に隔てて配置された近位支持部材４８として示されている。互いに隔てて配置された支持部材４４および４８は、図示のように体内人工装着物３０がステント／グラフトの組み合わせである場合にとくに有効である。遠位支持部材４４は、遠端域３３を取り囲んで圧縮された状態に維持し、近位支持部材４８は、近端域３５を取り囲んで圧縮された状態に維持する。近位支持部材４８は、近位部分２０ａに添ってカテーテル装置に固定される。接着剤または他の固着法を使用することもできる。
遠位支持部材４４は、カテーテル装置２０のコネクタ４０の開口２４に隣接する位置に配置される。遠位支持部材４４は、コネクタ４０の開口２４を通って第二の内側ルーメン２８ｃまで伸びるアーム４６を含む。
遠尖端部１３を有する解除機構１６は、カテーテル２０の第二の内側ルーメン２８を通って挿入することができる。解除機構１６は、カテーテル２０の中で引き込め自在に移動させることができる。解除機構の操作は、支持装置の取りはずしに至る任意の活動を含むものである。例えば、解除機構は、カテーテル２０内で軸方向あるは縦方向に動かして操作し、支持装置を係合させることもできるし、あるいは当業者には公知の他の手段で解除機構を操作することもできる。
第９図に示す解除機構１６は、遠尖端部１３にクリップ１８を有する解除ロッドを含むものとすることができる。クリップ１８は、コネクタ４０の開口２４を通って伸びる遠位支持部材４４のアーム４６と係合させることができまた該アーム４６に取り付けることができる。この取り付けによって、解除ロッドを展開システム１０の遠端に向けて縦方向に動かして解除機構１６を引き込め自在に移動させたとき、遠位支持部材４４を遠端３３から取りはずすことができる。
解除機構１６は、開口２４でコネクタ４０を通って伸びるアーム４６に達すればよいので、第二の内側ルーメン２８でコネクタ４０を過ぎて遠位部分２０ｂを通って伸びる必要はない。ただし、そのような構成も本発明の範囲に含まれる。
好ましい適用例にあっては、本発明の展開システムは、移植可能な体内人工装着物の最小限の侵害性での経皮挿入に利用される。より好ましくは、本発明の展開システムは、ステントで支持された血管グラフトの経皮挿入に利用される。しかし、本発明の展開システムが、経皮移植、静脈切開法、その他を含む任意の体内人工装着物の移植に利用できることは理解されよう。
以上、本発明の構成要素を説明したが、以下では、展開システム１６の使用について説明する。この好ましい適用例にあっては、針（図示せず）が管腔内的に血管（図示せず）に挿入される。次に、案内ワイヤ（図示せず）が針を介して挿入され、血管を通って移植区域まで前に進められる。次に、展開システム１０が血管内に挿入され、内側ルーメン２６を通って挿入された案内ワイヤの上を移植区域の位置まで案内される。
移植区域に到達した後は、解除機構１６を第二の内側ルーメンを通って挿入することができる。あるいは、解除機構１６は、管腔内的に展開システム１０を挿入する前に第二の内側ルーメン２８の中に挿入することもできる。解除機構１６のクリップ１８が、コネクタ４０の開口２４を通って伸びるアーム４６で遠位支持部材４４と係合する。アーム４６での係合の後、第二の内側ルーメン２８内で該解除機構１６を展開システム１０の遠端へ向けて縦方向に動かすことによって解除機構１６を操作する。クリップ１８とアーム４６が係合すると、解除機構１６の移動によって遠位支持部材４４が移動し、それによって該遠位支持部材４４が遠位ステント部材３４ａを圧縮した状態に維持する位置から取りはずされる。遠位支持部材４４が取りはずされると、遠位ステント部材３４ａが径方向に伸張し、グラフト３２の遠端域３３を血管表面の内壁に取り付ける。
遠位ステント部材３４ａが完全に伸張した後も、カテーテル装置２０の近位部分２０ａに固定されている近位支持部材４８は、近位ステント部材３４ｂを圧縮された状態に維持している。次に、カテーテル装置２０を含む展開システム１０が、移植区域から取りはずされる。近位支持部材４８は近位部分２０ａに固定されているため、この取りはずしによって近位支持部材４８が近位ステント部材３４ｂから取りはずされる。この取りはずしによって、近位ステント部材３４ｂは伸張が可能となり、それによってグラフト３２の近端域３５が血管の壁に固定される。これで、血管グラフト３２の両端が固定され、グラフトが移植され、展開システム１０を血管から完全に取りはずすことができる。
本発明は、さらに、単ルーメン式カテーテルとして存在し、案内ワイヤおよび解除機構１６をその単一のルーメンを通って挿入することができるカテーテル装置２０をもその対象に含むものである。本発明は、また、第６図および第７図に断面で示す３ルーメン式カテーテルなど多ルーメン式カテーテルとして存在するカテーテル２０装置もその対象に含むものである。このような実施形態にあっては、カテーテル装置２０の近位部分２０ａは、内側ルーメン２６ａ、第二の内側ルーメン２８ａ、および第三の内側ルーメン２９ａを有する。この実施形態には、また、コネクタ４０でカテーテル２０装置２０通り、第三の内側ルーメン２９ｃまで伸びる第二の開口２７が含まれる。第二の開口２７は、開口２４に隣接する点にあるが、開口２４とは接続されていない。この実施形態にあっては、内側ルーメン２６が案内ワイヤを受け入れ、第二の内側ルーメン２８が解除機構１６を受け入れ、第三の内側ルーメン２９が第二の解除機構（図示せず）を受け入れることができる。第二の解除機構は、解除機構１６と同一とすることができる。第二の解除機構は、第１２図に示すように第二のアーム４７と係合するが、該第二のアーム４７は、遠位支持部材４４に含めることができる。第二のアーム４７は、アーム４６が開口２４を通るのと同様に開口２７でカテーテル装置２０を通って伸びる。この実施形態にあっては、解除機構１６はアーム４６と係合し、第二の解除機構は第二のアーム４７と係合し、それによって第一および第二の解除機構を動かす遠位支持部材４４を取りはずすことができる。
本発明のさらに他の一実施形態にあっては、カテーテル装置２０は、上に述べたと同様な３ルーメン式カテーテルとして存在し、第第三のルーメンは、近位支持部材と係合した第二の解除機構を収容することができる。この実施形態にあっては、第二の開口は、近位支持部材に隣接してカテーテル装置２０を通る。該近位支持部材は、好ましい実施形態の開口２４を通って伸びるアーム４６と同様にしてカテーテル装置のこの第二の開口を通って伸びるアームを含む。この他の実施形態にあっては、第二の解除機構は、近位支持部材のアームと係合し、第二の解除機構を操作することによって近位支持部材が体内人工装着物の近端域を維持している位置から取りはずされる。
あるいは、第三のルーメンを染料の注射、薬物の注入、あるいはカテーテル・ルーメンの他の公知の用途など他の目的に使用することもできる。さらに、単ルーメン式および多ルーメン式カテーテルのいずれにかかわらず、ルーメンの形状は、それが意図する機能を行なうことを阻害するものでないかぎり、本発明にとって重要ではない。
本発明は、また、カテーテル装置２０および体内人工装着物３０の上に配置されてさらに体内人工装着物３０を圧縮された状態で所定の位置に維持する第７図に示すような引き込め自在な外側外装１４を含むものである。外側外装１４は、当業者には公知の任意の可撓性で生物と共存できる材料でつくることができる。外側外装１４は、経皮挿入後、体内人工装着物３０を移植部の表面に露出させるように引き込めることができる。第１図では、外側外装１４が引き込められた状態で示されている。
以上、本発明をいくつかの好ましい実施形態に関して説明したが、当業者には、本発明の範囲から逸脱することなく各種の変更が可能なことが理解されるであろう。
【図１】
0003746789.tif 000002
【図２】
0003746789.tif 000003
【図３】
0003746789.tif 000004
【図４】
0003746789.tif 000005
【図５】
0003746789.tif 000006
【図６】
0003746789.tif 000007
【図７】
0003746789.tif 000008
【図８】
0003746789.tif 000009
【図９】
0003746789.tif 000010
【図１０】
0003746789.tif 000011
【図１１】
0003746789.tif 000012
【図１２】
0003746789.tif 000013